(57)【要約】      （修正有）【課題】水害等による水が内部に浸入することを抑制可能な衣類収納箱を提供する。【解決手段】矩形状の枠体に底板を配置する箱体１２であり、複数の箱体１２を重ね合わせ、箱体１２の上に蓋体１４を重ねて形成される衣類収納箱１０であって、枠体の上端から一定の高さでしかも枠体を形成する枠板材の略半分の厚さを有して上方に突出し、枠体の内周面と面一な内周面を有する上側周回壁部と、枠体の下端から上側周回壁部の高さでしかも枠板材の略半分の厚さを有して下方に突出し、枠体の外周面と面一な外周面を有する下側周回壁部と、を備え、蓋体１４は、天板２４と、天板の下端周辺部からの上側周回壁部の高さでしかも枠板材の略半分の厚さを有して下方に突出し、箱体１２の上に蓋体１４を重ね合わせた際に、枠体の外周面と面一な外周面を形成する蓋下周回壁部とを含む。【選択図】図１
2019123514.tif 000002
【特許請求の範囲】
【請求項１】
矩形状の枠体に底板を配置する箱体であり、同サイズの複数の前記箱体を縦方向に重ね合わせ、最上段の前記箱体の上に蓋体を重ね合わせて形成される衣類収納箱であって、
前記枠体の上端から一定の高さでしかも前記枠体を形成する枠板材の略半分の厚さを有して上方に突出し、前記枠体の内周面と面一な内周面を有する上側周回壁部と、
前記枠体の下端から前記上側周回壁部の高さでしかも前記枠板材の略半分の厚さを有して下方に突出し、前記枠体の外周面と面一な外周面を有する下側周回壁部と、を備え、
前記蓋体は、前記枠体の外周と同サイズの矩形状の天板と、前記天板の下端周辺部からの前記上側周回壁部の高さでしかも前記枠板材の略半分の厚さを有して下方に突出し、前記箱体の上に前記蓋体を重ね合わせた際に、前記枠体の外周面と面一な外周面を形成する蓋下周回壁部と、を含むことを特徴とする衣類収納箱。
【請求項２】
前記箱体の外側に設けられて横方向に突設する突設部であり、複数の前記箱体を重ね合わせた状態で縦方向に列設される突設部と、前記突設部を縦貫する係合孔と、前記列設される前記係合孔全てを挿通可能な閂部材と、を備え、
前記閂部材の上端はＬ字状に折曲形成され、前記Ｌ字状部分が前記蓋体の上面に係止することを特徴とする請求項１記載の衣類収納箱。
【請求項３】
前記列設される前記係合孔全て挿通した状態の前記閂部材の下端に、前記突設部に係止して、前記閂部材の上方への移動を規制する規制部材を取り付けたことを特徴とする請求項２記載の衣類収納箱。
【請求項４】
前記規制部材は、前記閂部材の下端に嵌合する弾性リング部材であることを特徴とする請求項３記載の衣類収納箱。
【請求項５】
前記箱体及び前記蓋体は、桐材を用いてなることを特徴とする請求項１〜３のいずれかに記載の衣類収納箱。
【発明の詳細な説明】
【技術分野】
【０００１】
本発明は、一般家庭等において衣類を収納する衣類収納箱に関する。
【０００２】
従来、衣類は、例えば部屋の一角に配置された箪笥に収納されて来た。しかし、昨今では、箪笥を置くと部屋が狭くなる等のため、例えば押し入れの中に収納箱を置いてその中に衣類を収納することも行われる。
【０００３】
このような収納箱として例えば特許文献１の衣類収納箱がある。
【先行技術文献】
【特許文献】
【０００４】
【特許文献１】実公平６−２９１２
【発明の概要】
【発明が解決しようとする課題】
【０００５】
特許文献１には、押入等に収容して使用される２段引出タンスで、その外装ケース内に各段２個ずつ合計４個の衣類等を収容するための引出を備えるものが開示されている。
【０００６】
しかし、特許文献１の衣類収納箱によれば、水害等による浸水や雨漏りがあると、引出と外装ケースとの間の隙間から水が浸入して収納してあった衣類が濡れる可能性があるという問題があった。
【０００７】
そこで、本発明は、上記従来の問題に鑑みてなされたものであり、その目的は、水害等による水が内部に浸入することを抑制可能な衣類収納箱を提供することにある。
【課題を解決するための手段】
【０００８】
請求項１の発明は、矩形状の枠体に底板を配置する箱体であり、同サイズの複数の前記箱体を縦方向に重ね合わせ、最上段の前記箱体の上に蓋体を重ね合わせて形成される衣類収納箱であって、前記枠体の上端から一定の高さでしかも前記枠体を形成する枠板材の略半分の厚さを有して上方に突出し、前記枠体の内周面と面一な内周面を有する上側周回壁部と、前記枠体の下端から前記上側周回壁部の高さでしかも前記枠板材の略半分の厚さを有して下方に突出し、前記枠体の外周面と面一な外周面を有する下側周回壁部と、を備え、前記蓋体は、前記枠体の外周と同サイズの矩形状の天板と、前記天板の下端周辺部からの前記上側周回壁部の高さでしかも前記枠板材の略半分の厚さを有して下方に突出し、前記箱体の上に前記蓋体を重ね合わせた際に、前記枠体の外周面と面一な外周面を形成する蓋下周回壁部と、を含む、衣類収納箱である。
【０００９】
請求項２の発明は、請求項１記載の衣類収納箱において、前記箱体の外側に設けられて横方向に突設する突設部であり、複数の前記箱体を重ね合わせた状態で縦方向に列設される突設部と、前記突設部を縦貫する係合孔と、前記列設される前記係合孔全てを挿通可能な閂部材と、を備え、前記閂部材の上端はＬ字状に折曲形成され、前記Ｌ字状部分が前記蓋体の上面に係止することを特徴とする。
【００１０】
請求項３の発明は、請求項２記載の衣類収納箱において、前記列設される前記係合孔全て挿通した状態の前記閂部材の下端に、前記突設部に係止して、前記閂部材の上方への移動を規制する規制部材を取り付けたことを特徴とする。
【００１１】
請求項４の発明は、請求項３記載の衣類収納箱において、前記規制部材は、前記閂部材の下端に嵌合する弾性リング部材であることを特徴とする。
【００１２】
請求項１〜４のいずれかに記載の衣類収納箱において、前記箱体及び前記蓋体は、桐材を用いてなることを特徴とする。
【発明の効果】
【００１３】
本発明は、矩形状の枠体に底板を配置する箱体であり、同サイズの複数の前記箱体を縦方向に重ね合わせ、最上段の前記箱体の上に蓋体を重ね合わせて形成される衣類収納箱であって、前記枠体の上端から一定の高さでしかも前記枠体を形成する枠板材の略半分の厚さを有して上方に突出し、前記枠体の内周面と面一な内周面を有する上側周回壁部と、前記枠体の下端から前記上側周回壁部の高さでしかも前記枠板材の略半分の厚さを有して下方に突出し、前記枠体の外周面と面一な外周面を有する下側周回壁部と、を備え、前記蓋体は、前記枠体の外周と同サイズの矩形状の天板と、前記天板の下端周辺部からの前記上側周回壁部の高さでしかも前記枠板材の略半分の厚さを有して下方に突出し、前記箱体の上に前記蓋体を重ね合わせた際に、前記枠体の外周面と面一な外周面を形成する蓋下周回壁部と、を含む構成であるから、上側周回壁部、下側周回壁部及び蓋下周回壁部の厚さを調整することで、下側周回壁部の内周面と、上側周回壁部の外周面とを摺接させつつ箱体どうしを重ねわせることができるので、箱体どうしを水密に重ね合わせることが可能となる。同様に、蓋下周回壁部の内周面と、上側周回壁部の外周面とを摺接させつつ、蓋体と箱体とを重ねわせることができるので、蓋体と箱体とを水密に重ね合わせることが可能となる。従って、水害等による水が内部に侵入することを抑制可能な衣類収納箱を提供することができる。
【００１４】
また、前記箱体の外側に設けられて横方向に突設する突設部であり、複数の前記箱体を重ね合わせた状態で縦方向に列設される突設部と、前記突設部を縦貫する係合孔と、前記列設される前記係合孔全てを挿通可能な閂部材と、を備え、前記閂部材の上端はＬ字状に折曲形成され、前記Ｌ字状部分が前記蓋体の上面に係止する構成であるから、複数の箱体を重ね合わせ、最上段の箱体の上に蓋体を重ね合わせた状態で、上から全ての突設部の係合孔に閂部材を挿通してＬ字部分を蓋体の上面に係止させれば、Ｌ字状部分で蓋体が箱体から外れることを防止でき、係合孔を挿通した閂部材によって箱体どうしも外れ難いので、地震による揺れや、水流によって衣類収納箱が流されることがあっても、水の内部への侵入防止を期待できるとともに、収容した衣類が衣類収納箱から外に散らばることを防止可能な衣類収納箱を提供できる。
【００１５】
また、前記列設される前記係合孔全て挿通した状態の前記閂部材の下端に、前記突設部に係止して、前記閂部材の上方への移動を規制する規制部材を取り付けた構成であるから、地震等の振動や、流水によって衣類収納箱が激しく動くことがあっても、規制部材によって閂部材が抜けることを防止できるので、重なり合わせた箱体どうしや蓋体が更に離れ難くなり、水害等による水の浸入を更に抑制することができるとともに、烈しい地震に襲われても収容した衣類が衣類収納箱から外に散らばることを防止可能な衣類収納箱を提供できる。
【００１６】
前記規制部材は、前記閂部材の下端に嵌合する弾性リング部材である構成であるから、規制部材として、家庭にあるような簡単な部材を用いることができるので、利便性が高い衣類収納箱を提供できる。
【００１７】
また、前記箱体及び前記蓋体は、桐材からなる構成であるから、軽くて、防湿性、抗菌性に優れた衣類収納箱を提供できる。
【図面の簡単な説明】
【００１８】
【図１】本発明の実施例に係る衣類収納箱を説明する斜視図である。
【図２】図１のＡ−Ａ線断面図である。
【図３】本発明の実施例に係る衣類収納箱の分解斜視図である。
【図４】本発明の実施例に係る蓋体及び箱体を説明する斜視図である。
【図５】本発明の変形例に係る衣類収納箱を説明する斜視図である。
【発明を実施するための形態】
【００１９】
以下、本発明の実施形態について図を用いて説明する。
図１は、本発明の実施例に係る衣類収納箱１０を斜め上方から視た斜視図である。
本実施例の衣類収納箱１０は、図１に示す様に、同サイズの複数の箱体１２を縦方向に重ね合わせ、最上段の箱体１２の上に蓋体１４を重ね合わせて形成される。
【００２０】
本実施例の箱体１２は、桐材からなり、図１〜図４に示す様に、枠体１６と底板１８とを備える。なお、図４（ａ）は、蓋体１４を下方から視た斜視図であり、図４（ｂ）は、箱体１２を下方から視た斜視図である。
本実施例の枠体１６は、図１〜図３に示す様に、４枚の枠板材１３ａ，１３ａ，１３ｂ，１３ｂを矩形状に配置して形成される。より詳しくは、図３に示す様に、長方形で同サイズの前後枠板材１３ａ，１３ａと、長方形で同サイズの左右枠板材１３ｂ，１３ｂが配置される。
次に、底板１８は、図２〜図４に示す様に、平板材で形成され、枠体１６の下端に水平に配置される。
【００２１】
また、箱体１２は、図２及び図３に示す様に、枠体１６の上端から一定の高さでしかも枠板材１３ａ，１３ａ，１３ｂ，１３ｂの略半分の厚さを有して枠体１６と一体で上方に突出し、枠体１６の内周面と面一な内周面を有する上側周回壁部２０を備える。
さらに、箱体１２は、図２及び図４（ｂ）に示す様に、枠体１６の下端から上側周回壁部２０の高さでしかも枠板材１３ａ，１３ａ，１３ｂ，１３ｂの略半分の厚さを有して枠体１６と一体で下方に突出し、枠体１６の外周面と面一な外周面を有する下側周回壁部２２を備える。
【００２２】
次に、本実施例の蓋体１４は、図１〜図４（ａ）に示す様に、枠体１６の外周と同サイズの矩形状の天板２４と、天板２４の下端周辺部からの上側周回壁部２０の高さでしかも枠板材１３ａ，１３ａ，１３ｂ，１３ｂの略半分の厚さを有して下方に突出し、箱体１２の上に蓋体１４を重ね合わせた際に、枠体１６の外周面と面一な外周面を形成する蓋下周回壁部２６とを含む。蓋体１４は、桐材からなる。
【００２３】
このように構成される衣類収納箱１０は、例えば３つの箱体１２を縦方向に重ね合わせ、最上段の箱体１２の上に蓋体１４を重ね合わせて形成される。その際、上側の箱体１２と下側の箱体１２どうしが印篭状に嵌合され、蓋体１４と箱体１２も印篭状に嵌合される。より詳しくは、上側周回壁部２０と下側周回壁部２２の厚さを調整しておけば、図２に示す様に、下側周回壁部２２の内周面と、上側周回壁部２０の外周面とを摺接させつつ箱体１２どうしを重ねわせることができるので、箱体１２どうしを水密に重ね合わせることが可能となる。同様に、蓋下周回壁部２６の厚さを調整しておけば、図２に示す様に、蓋下周回壁部２６の内周面と、下側周回壁部２２の外周面とを摺接させつつ、蓋体１４と箱体１２とを重ねわせることができるので、蓋体１４と箱体１２とを水密に重ね合わせることが可能となる。従って、水害等による水が内部に侵入することを抑制可能な衣類収納箱１０を提供することができる。
【００２４】
次に、本発明の変形例に係る衣類収納箱３０について図５を用いて説明する。
本変形例の衣類収納箱３０と上述した衣類収納箱１０との相違点は、図５に示す様に、閂部材３２を取り付けた点にあり、衣類収納箱１０と同様な部材には、同じ符号を付し、その説明を省略する。なお、図５（ａ）は、衣類収納箱３０を上方から視た斜視図であり、図５（ｂ）は、衣類収納箱３０の閂部材３２近傍の拡大斜視図である。
【００２５】
本変形例の衣類収納箱３０は、図５（ａ）に示す様に、閂部材３２と、突設部３４とを含む。
先ず、閂部材３２は、図５（ａ）及び図５（ｂ）に示す様に、例えば左右枠板材１３ｂの長辺の略１０分の１の幅と衣類収納箱１０の全体高さに略等しい長さを有する縦板材３２ａと、縦板材３２ａの上端を水平方向に折曲した態様で設けられる横板材３２ｂとを備え、全体で縦長の逆Ｌ字状に形成される。
【００２６】
次に、突設部３４は、図５（ｂ）に示す様に、例えば枠体１６を縮小した平面視矩形状の枠部材であり、枠部材の内側に閂部材３２の縦板材３２ａを挿通可能な枠部材で形成される。すなわち、枠部材の内側が、突設部３４を縦貫する係合孔３８を構成する。
【００２７】
そして、突設部３４は、図５に示す様に、それぞれの箱体１２に設けられるが、例えば左右枠板材１３ｂの外側中央近辺に固設され、しかも、複数の箱体１２を重ね合わせた状態で縦方向に列設される態様で配置される。
【００２８】
すなわち、本実施例の衣類収納箱３０は、箱体１２の外側に設けられて横方向に突設する突設部であり、複数の箱体１２を重ね合わせた状態で縦方向に列設される突設部３４と、それぞれの突設部３４に設けられて突設部３４を縦貫する係合孔３８と、列設される係合孔３８全てを挿通可能な閂部材３２と、を備え、閂部材３２の上端はＬ字状に折曲形成され、Ｌ字状部分（３２ｂ）が蓋体１４の上面に係止する構成となっているのである。
【００２９】
この様に構成される衣類収納箱３０は、図５に示す様に、箱体１２どうしを重ねあわせ、最上段の箱体１２の上に蓋体１４を重ね合わせ、閂部材３２のＬ字状部分、すなわち横板材３２ｂ部分が蓋体１４の上方に位置する様にして、列設される係合孔３８全てに閂部材３２の縦板材３２ａを挿通させると良い。
【００３０】
上述の様に閂部材３２を取り付けることで、揺れ等に襲われても横板材３２ｂで蓋体１４が箱体１２から外れることを防止できる。また、揺れ等に襲われても係合孔３８を挿通した閂部材３２によって箱体１２どうしも外れ難いので、地震による揺れや、水流によって衣類収納箱が流されることがあっても、収容した衣類が衣類収納箱から外に散らばることを防止可能な衣類収納箱を提供できる。
【００３１】
なお、衣類収納箱３０は、図５に示す様に、列設される係合孔３８の全てを挿通した状態の閂部材３２の下端に、閂部材３２の上方への移動を規制する規制部材としての弾性リング部材３６を嵌合させて取り付けている。
【００３２】
このような構成とすることで、烈しい揺れに襲われても箱体１２どうしや蓋体１４が更に離れ難いので、例えば地震の後に津波に襲われることがあっても、水の内部への侵入防止を期待できるとともに、収容した衣類が衣類収納箱から外に散らばることを防止可能な衣類収納箱を提供できる。
【００３３】
また、規制部材は、本例の弾性リング部材３６に限るものではなく、閂部材３２の下端に突設部３４に係止して閂部材３２の上方への移動を規制可能なピン部材を取り付ける構成であっても良い。
【００３４】
また、上述した本実例では、最下段の箱体１２は、下側周回壁部２２を備えるが、最下段の箱体の下端はフラットに形成されても良い。
【００３５】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００３６】
１０，３０  衣類収納箱
１２  箱体
１３  枠板材
１４  蓋体
１６  枠体
１８  底板
２０  上側周回壁部
２２  下側周回壁部
２４  天板
２６  蓋下周回壁部
３２  閂部材
３４  突設部
３６  弾性リング部材（規制部材）
３８  係合孔
【図１】
2019123514.tif 000003
【図２】
2019123514.tif 000004
【図３】
2019123514.tif 000005
【図４】
2019123514.tif 000006
【図５】
2019123514.tif 000007